(57)【特許請求の範囲】
【請求項１】
表示面を有する表示部と、
前記表示部の前記表示面に表示される情報の上下方向の一端側に位置する把持部と、
前記把持部の先端側に位置する情報読取部と、を備え、
前記把持部は、前記表示部の前記表示面とは反対側に所定の角度を維持して、前記表示部と一体に形成されており、
前記表示部に対して前記把持部が鈍角を為すように屈曲していることを特徴とする情報表示端末装置。
【請求項２】
前記表示面に表示される情報の上下方向における前記表示部の寸法よりも前記把持部の寸法が小さく、且つ、前記把持部側に重心が位置していることを特徴とする請求項１に記載の情報表示端末装置。
【請求項３】
前記表示部の鉛直方向に対する向きに応じて、前記表示面に表示される情報の上下方向の向きが切り替わることを特徴とする請求項１又は２に記載の情報表示端末装置。
【発明の詳細な説明】
【技術分野】
【０００１】
本発明は、情報表示端末装置に関する。
【背景技術】
【０００２】
従来より、商品管理等の分野では、商品に付されたバーコードや二次元コードなどの情報を読み取ったり、各種の情報を入力操作したりするハンディターミナルを用いて、商品の登録や照合などが行われている（例えば、特許文献１，２を参照。）。
【０００３】
ハンディターミナルは、携帯可能な情報表示端末装置として、液晶パネル等からなる表示面に情報を表示する表示部や、商品に付された情報を光学的又は磁気的に読み取るリーダーなどの情報読取部、情報を入力操作する操作キーなどの入力部等を備えている。
【先行技術文献】
【特許文献】
【０００４】
【特許文献１】特開２０１３−１５６７５１号公報
【特許文献２】特開２０１２−２７９２３号公報
【発明の概要】
【発明が解決しようとする課題】
【０００５】
ところで、店舗などでは、お客が希望する商品の確認などに応対するため、店員がハンディターミナルを用いて商品の在庫確認などを行うことがある。その際に、店員がお客にハンディターミナルに表示された商品情報を見せることを検討している。
【０００６】
しかしながら、従来のハンディターミナル（情報表示端末装置）は、業務用として使用者（店員）以外の人（お客）に表示面に表示された情報を見せることについては考慮されておらず、他者に見せ難いといった問題があった。
【０００７】
本発明の一つの態様は、このような従来の事情に鑑みて提案されたものであり、表示部の表示面に表示される情報を他者に見せ易くすることを可能とした情報表示端末装置を提供することを目的の一つとする。
【課題を解決するための手段】
【０００８】
上記の目的を達成するために、本発明は以下の手段を採用した。
（１）  本発明の第１の態様における情報表示端末装置は、表示面を有する表示部と、前記表示部の前記表示面に表示される情報の上下方向の一端側に位置する把持部と、前記把持部の先端側に位置する情報読取部と、を備え、前記把持部は、前記表示部の前記表示面とは反対側に所定の角度を維持して、前記表示部と一体に形成されており、前記表示部に対して前記把持部が鈍角を為すように屈曲していることを特徴とする。
（２）  前記（１）に記載の情報表示端末装置において、前記表示面に表示される情報の上下方向における前記表示部の寸法よりも前記把持部の寸法が小さく、且つ、前記把持部側に重心が位置している構成であってもよい。
【００１２】
（３）  前記（１）又は（２）に記載の情報表示端末装置において、前記表示部の鉛直方向に対する向きに応じて、前記表示面に表示される情報の上下方向の向きが切り替わる構成であってもよい。
【発明の効果】
【００１３】
以上のように、本発明の一つの態様によれば、表示部の表示面に表示される情報を他者に見せ易くすることを可能とした情報表示端末装置を提供することが可能である。
【図面の簡単な説明】
【００１４】
【図１】本発明の一実施形態に係る情報表示端末装置の構成を示す三面図である。
【図２】図１に示す情報表示端末装置を使用者が把持した状態を説明するための正面図である。
【図３】図１に示す情報表示端末装置の表示部を他者に見せた状態を説明するための側面図である。
【図４】図１に示す情報表示端末装置の表示部の向きに対する表示面に表示される情報の向きを説明するための正面図である。
【発明を実施するための形態】
【００１５】
以下、本発明の実施形態について、図面を参照して詳細に説明する。
なお、以下の全ての図面においては、各構成要素を見やすくするため、構成要素によって寸法の縮尺を異ならせて示すことがある。また、以下の説明においては、図中においてＸＹＺ直交座標系を設定し、このＸＹＺ直交座標系を参照しつつ各部材の位置関係について説明する。
【００１６】
本発明の一実施形態として、例えば図１〜図４に示す情報表示端末装置１について説明する。なお、図１は、情報表示端末装置１の構成を示す三面図である。図２は、情報表示端末装置１を使用者Ｕが把持した状態を説明するための図であり、（ａ）は使用者Ｕが表示部２を把持した状態を示す正面図、（ｂ）は使用者Ｕが把持部３を把持した状態を示す正面図である。図３は、情報表示端末装置１の表示部２を他者に見せた状態を説明するための側面図である。図４は、情報表示端末装置１の表示部２の向きに対する表示面２ａに表示される情報の向きを説明するための図であり、（ａ）は表示部２の先端側を上方に向けた状態を示す正面図、（ｂ）は表示部２の先端側を下方に向けた状態を示す正面図である。
【００１７】
情報表示端末装置１は、図１に示すようなハンディターミナルであり、表示面２ａを有する表示部２と、表示部２の表示面２ａに表示される情報の上下方向（Ｙ軸方向）の一端側に位置する把持部３とを備えている。
【００１８】
表示部２は、全体として略矩形平板状に形成されている。表示部２は、矩形状（長方形状）の表示面２ａを構成する、例えば液晶表示パネルや有機ＥＬパネルなどの表示パネルを有している。
【００１９】
また、表示部２の表示面２ａには、情報を入力操作する入力部４として、タッチパネルが設けられている。タッチパネルでは、表示面２ａを指で操作することによって、情報の入力操作が可能である。また、タッチパネルを採用する場合、把持部３に近い側にコマンドキーなどを表示することが好ましい。
【００２０】
（第１の実施形態）
把持部３は、使用者が把持することが可能な部分であり、表示部２に連続しながら全体として略矩形平板状に形成されている。また、把持部３は、表示部２よりも小さく形成されている。すなわち、この情報表示端末装置１では、表示面２ａの短手方向（図１中のＸ軸方向）における表示部２の寸法（幅）Ｘ１と把持部３の寸法（幅）Ｘ２が等しく、表示面２ａに表示される情報の上下方向（Ｙ軸方向）における表示部２の寸法（長さ）Ｙ１よりも把持部３の寸法（長さ）Ｙ２が小さくなっている。
【００２１】
（第２の実施形態）
把持部３は、表示部２に対して表示面２ａとは反対側に屈曲して設けられている。すなわち、表示部２と把持部３との間には、屈曲部６が設けられている。また、屈曲部６は、他者に表示面２ａを見易くするため、表示部２に対して把持部３が鈍角θを為すように屈曲している。なお、屈曲部６の具体的な角度（鈍角）θについては、１５５°〜１６０°程度することが好ましい。
【００２２】
（第３の実施形態）
また、把持部３には、図示を省略するものの、表面に滑り止めなどを設けてもよい。滑り止めについては、エラストマーなどの部材を用いる他にも、表面の形状を工夫して滑り止め機能を持たせることが可能である。
【００２３】
（第４の実施形態）
また、情報表示端末装置１の重心は、把持部３側に位置することが好ましい。これにより、表示部２よりも小さい把持部３を把持したときでも、情報表示端末装置１を安定した状態で保持することができる。
【００２４】
把持部３の先端側には、商品に付された情報を光学的に読み取る情報読取部５が設けられている。情報読取部５は、例えば商品に印字されたバーコードや二次元コードなどに対して、何らかの光源から出射された走査光を照射し、その反射光を受光素子で受光又は撮像素子で撮像することで、バーコードや二次元コードなどに記録された情報を読み取ることが可能となっている。また、情報読取部５は、商品に付された情報を光学的に読み取る構成に限らず、商品に付された情報を磁気的に読み取る構成であってもよい。なお、光源については、ＬＥＤなどを用いることができ、走査光としては、赤外線（ＵＶ光）や可視光などを用いることができる。
【００２５】
以上のような構成を有する情報表示端末装置１では、例えば使用者Ｕが他者に表示面２ａに表示された情報を見せる場合、図２（ａ）に示すように、表示部２を把持する使用者Ｕの指が表示面２ａにかかってしまうと、他者からは表示面２ａが見え難くなることがある。
【００２６】
これに対して、本実施形態の情報表示端末装置１では、図２（ｂ）に示すように、表示部２の表示面２ａに表示される情報の上下方向の一端側に位置する把持部３を把持することによって、使用者Ｕの指が表示面２ａにかかることがない。このため、表示面２ａに表示される情報を他者に見せ易くすることが可能である。
【００２７】
特に、本実施形態の情報表示端末装置１では、図３に示すように、把持部３が表示部２に対して表示面２ａとは反対側に屈曲して設けられていることから、使用者Ｕが把持部３を把持した状態のまま、表示面２ａに表示される情報を他者に見せ易くすることが可能である。
【００２８】
また、本実施形態の情報表示端末装置１では、表示部２の鉛直方向（本実施形態では紙面下方向とする。）に対する向きに応じて、表示面２ａに表示される情報の上下方向の向きが切り替わるようにしてもよい。すなわち、この情報表示端末装置１では、図４（ａ）に示す表示部２の先端側を上方（−Ｙ軸方向）に向けた状態（使用者Ｕが表示面２ａを見る場合）と、図４（ｂ）に示す表示部２の先端側を下方（＋Ｙ軸方向）に向けた状態（他者が表示面２ａを見る場合）とで、表示面２ａに表示される情報が常に正立した状態で表示されるように、表示面２ａに表示される情報の上下方向（Ｙ軸方向）の向きが反転するように切り替える。これにより、表示面２ａに表示される情報を他者に見せ易くすることが可能である。
【００２９】
なお、表示面２ａに表示される情報の上下方向の向きについては、表示部２の先端側の向きに応じて自動的に切り替わるようにすればよい。一方、把持部３の先端側に設けられた情報読取部５で商品に付された情報を読み取る際は、表示面２ａに表示される情報の上下方向の向きを固定するモードを選択できることが好ましい。
【００３０】
なお、本発明は、上記実施形態のものに必ずしも限定されるものではなく、本発明の趣旨を逸脱しない範囲において種々の変更を加えることが可能である。
例えば、本発明は、上述したハンディターミナルに好適に適用されるものの、本発明が適用される情報表示端末装置については、上述したハンディターミナルに限らず、表示面を有する表示部と、使用者が把持する把持部とを備えた情報表示端末装置に対して幅広く本発明を適用することが可能である。
【符号の説明】
【００３１】
１…情報表示端末装置  ２…表示部  ２ａ…表示面  ３…把持部  ４…入力部  ５…情報読取部  ６…屈曲部
【図１】
0006678399.tif 000002
【図２】
0006678399.tif 000003
【図３】
0006678399.tif 000004
【図４】
0006678399.tif 000005